(57)【要約】【課題】構造が簡単で軽量な撮像装置を提供する。【解決手段】表示部２０を撮像装置本体１０にスライド可能に設けるとともに、被写体像を表示する表示部２０を回転ヒンジを用いて反転できるようにした。撮像装置本体１０に回転可能に連結された棒状の支持体３０を用いて、机上に設置された撮像装置本体１０の向きを調整できるようにした。【選択図】図１
2010141485.tif 000002
【特許請求の範囲】
【請求項１】
被写体像を取得する撮像手段と、
前記撮像手段が設けられた筐体と、
前記筐体に移動可能に設けられ、前記被写体像を表示する表示部と、
前記表示部の向きを調整する第１調整手段と、
前記筐体に取り付けられ、設置された前記筐体の向きを調整する第２調整手段と
を備えていることを特徴とする撮像装置。
【請求項２】
前記表示部は前記筐体に回転可能に連結されていることを特徴とする請求項１記載の撮像装置。
【請求項３】
前記表示部は前記筐体にスライド可能に連結されていることを特徴とする請求項１記載の撮像装置。
【請求項４】
前記第２調整手段は棒状体であり、その球状の一端部が前記筐体に転動可能に支持されていることを特徴とする請求項１〜３のいずれか１項記載の撮像装置。
【請求項５】
前記第２調整手段はＵ字状であり、その両端部が前記筐体に回転可能に支持されていることを特徴とする請求項１〜３のいずれか１項記載の撮像装置。
【請求項６】
前記第２調整手段は、おねじが形成された軸部と、前記おねじに螺合するめねじが形成され、前記軸部に対して相対移動可能な筒部とからなることを特徴とする請求項１〜３のいずれか１項記載の撮像装置。
【請求項７】
前記第２調整手段は、前記筐体に対して回転可能に取り付けられた第１の支持部と、この第１の軸部の中間部に、前記第１の支持部に対して回転可能に支持された第２の支持部とで構成されていることを特徴とする請求項１〜３のいずれか１項記載の撮像装置。
【請求項８】
前記筐体に前記第２調整手段を収納可能な凹部を設け、前記第２調整手段を前記凹部に収納したとき、前記第２調整手段の表面が前記筐体の背面とほぼ面一となることを特徴とする請求項１〜７のいずれか１項記載の撮像装置。
【請求項９】
前記被写体に対する前記筐体が俯角をもつとき、前記撮像手段で取得された被写体像を俯角を有しない画像に補正する画像処理手段を備えていることを特徴とする請求項１〜８のいずれか１項記載の撮像装置。
【請求項１０】
前記表示部を前記被写体方向に回転させたとき、前記表示部の表示画面を左右反転させる画像処理手段を備えることを特徴とする請求項１〜９のいずれか１項記載の撮像装置。
【発明の詳細な説明】
【技術分野】
【０００１】
この発明は撮像装置に関する。
【背景技術】
【０００２】
撮影者自身の写真を撮影（いわゆる「自分撮り」）したり、撮影者自身も加わった集合写真を撮影したりするため、三脚が用いられることがある。従来、ムービー本体の下部に三脚を収納し、必要なときに三脚を取り出して使用するムービー（撮像装置）が知られている（下記公報参照）。
【特許文献１】特開平２−２６５３８３号公報
【発明の開示】
【発明が解決しようとする課題】
【０００３】
上記撮像装置では三脚と三脚をムービー本体に取り付けるためのアダプタと三脚が収納されるムービー本体の収納部を塞ぐカバーとを備えているため、構造が複雑であるとともに、部品点数の増加によって重量が嵩むという問題がある。
【０００４】
この発明はこのような事情に鑑みてなされたもので、その課題は構造が簡単で軽量な撮像装置を提供することである。
【課題を解決するための手段】
【０００５】
前述の課題を解決するため請求項１記載の発明は、被写体像を取得する撮像手段と、前記撮像手段が設けられた筐体と、前記筐体に移動可能に設けられ、前記被写体像を表示する表示部と、前記表示部の向きを調整する第１調整手段と、前記筐体に取り付けられ、設置された前記筐体の向きを調整する第２調整手段とを備えていることを特徴とする。
【０００６】
請求項２記載の発明は、請求項１記載の撮像装置において、前記表示部は前記筐体に回転可能に連結されていることを特徴とする。
【０００７】
請求項３記載の発明は、請求項１記載の撮像装置において、前記表示部は前記筐体にスライド可能に連結されていることを特徴とする。
【０００８】
請求項４記載の発明は、請求項１〜３のいずれか１項記載の撮像装置において、前記第２調整手段は棒状体であり、その球状の一端部が前記筐体に転動可能に支持されていることを特徴とする。
【０００９】
請求項５記載の発明は、請求項１〜３のいずれか１項記載の撮像装置において、前記第２調整手段はＵ字状であり、その両端部が前記筐体に回転可能に支持されていることを特徴とする。
【００１０】
請求項６記載の発明は、請求項１〜３のいずれか１項記載の撮像装置において、前記第２調整手段は、おねじが形成された軸部と、前記おねじに螺合するめねじが形成され、前記軸部に対して相対移動可能な筒部とからなることを特徴とする。
【００１１】
請求項７記載の発明は、請求項１〜３のいずれか１項記載の撮像装置において、前記第２調整手段は、前記筐体に対して回転可能に取り付けられた第１の支持部と、この第１の軸部の中間部に、前記第１の支持部に対して回転可能に支持された第２の支持部とで構成されていることを特徴とする。
【００１２】
請求項８記載の発明は、請求項１〜７のいずれか１項記載の撮像装置において、前記筐体に前記第２調整手段を収納可能な凹部を設け、前記第２調整手段を前記凹部に収納したとき、前記第２調整手段の表面が前記筐体の背面とほぼ面一となることを特徴とする。
【００１３】
請求項９記載の発明は、請求項１〜８のいずれか１項記載の撮像装置において、前記被写体に対する前記筐体が俯角をもつとき、前記撮像手段で取得された被写体像を俯角を有しない画像に補正する画像処理手段を備えていることを特徴とする。
【００１４】
請求項１０の発明は、請求項１〜９のいずれか１項記載の撮像装置において、前記表示部を前記被写体方向に回転させたとき、前記表示部の表示画面を左右反転させる画像処理手段を備えることを特徴とする。
【発明の効果】
【００１５】
この発明によれば、構造が簡単で軽量な撮像装置を提供することができる。
【発明を実施するための最良の形態】
【００１６】
以下、この発明の実施の形態を図面に基づいて説明する。
【００１７】
図１はこの発明の第１実施形態に係るカメラ１の背面図、図２は表示部２０を引き出すとともに、表示部２０を１８０°回転させた状態を示すカメラ１の背面図、図３は図２の状態から支持体３０を引き出したときの側面図、図４は図３のカメラ１をＡ方向から見た平面図、図１３、１４は支持体３０と撮像装置本体（筐体）１０との接続部分を説明する図である。図１４は図１３のＢ矢視図である。
【００１８】
カメラ（撮像装置）１は例えばデジタルスチルカメラである。被写体からの光学像はＣＣＤやＣＭＯＳ等の撮像素子（撮像手段）１６で電気的な信号に変換される。被写体像は半導体記録メディア（図示せず）に記録され、表示部２０等に表示される。
【００１９】
カメラ１は、撮像素子１６と、この撮像素子１６が取り付けられる撮像装置本体１０と、撮像装置本体１０にスライド可能に支持され、撮像素子１６で取得された被写体像を表示する表示部２０と、表示部２０の向きを調整する図示しないヒンジ部（第１調整手段）と、撮像装置本体１０に取り付けられ、図示しない設置面に設置された撮像装置本体１０の向きを調整する支持体（第２調整手段）３０と、画像処理部（画像処理手段）１７とを備えている。画像処理部１７は、例えばＤＳＰ（Ｄｉｇｉｔａｌ  Ｓｉｇｎａｌ  Ｐｒｏｃｅｓｓｏｒ）で構成され、撮像装置本体１０を見下ろす撮影者を撮影したとき、撮像素子１６で取得された画像を俯角に基づいて俯角を有しない画像に補正したり、表示部２０を１８０°回転させたとき、表示部２０の表示画面を左右反転させたりする。
【００２０】
撮像装置本体１０は中空の筐体である。撮像装置本体１０の内部には撮像素子１６や図示しない電子部品が実装された配線基板、バッテリ等が収納されている。撮像装置本体１０の前面には撮像レンズ（図示せず）が露出している。撮像レンズの後方には撮像素子１６が配置されている。撮像素子１６は、撮像レンズ（図示せず）に入射した光を電気信号に変換し、デジタル信号を出力する。
【００２１】
撮像装置本体１０の背面には表示部２０を上下方向へスライドさせるための上下方向へ延びる２つのガイド溝１１ａ，１１ｂが設けられている。ガイド溝１１ａ，１１ｂは表示部２０のガイド（図示せず）と係合する。ガイドはパネルケース基部２３ｃに設けられている。
【００２２】
表示部２０は四角形の板状であり、液晶パネル２３ａと、液晶パネル２３ａを収容するパネルケース２３ｂとを備えている。パネルケース２３ｂは図示しない回転ヒンジ（第１調整手段）を介してパネルケース基部２３ｃに連結されている。なお、回転ヒンジは既知のものである。パネルケース２３ｂは、パネルケース２３ｂの幅方向のほぼ中央とパネルケース基部２３ｃの幅方向のほぼ中央とを通る仮想軸ＹＡ周りに回転できる。パネルケース２３ｂを反転（姿勢変更）させるには仮想軸ＹＡを中心にパネルケース２３ｂを１８０°回転させればよい。
【００２３】
支持体３０は撮像装置本体１０の背面に形成された凹部１５に収容可能である。支持体３０を凹部１５に収容したとき、支持体３０の表面が撮像装置本体１０の背面とほぼ面一となる。これにより、カメラ１の携帯性と美的外観とが損なわれない。
【００２４】
支持体３０は棒状体である。支持体３０と撮像装置本体１０とはシャフト３１及びリンク３２を介して互いに連結されている。シャフト３１の一端は撮像装置本体１０に固定され、他端はリンク３２に設けられた図１３に示すＹ軸方向へ延びる第１軸３２ａに相対的に回転可能に取り付けられている。支持体３０の一端はリンク３２に設けられた図１４に示すＺ方向へ延びる第２軸３２ｂに相対的に回転可能に取り付けられている。このようにリンク３２がシャフト３１にＹ軸周りに回転可能に取り付けられ、支持体３０がリンク３２にＺ軸周りに回転可能に取り付けられている。そのため、支持体３０を撮像装置本体１０に対して任意の方向へ引き出すことができる。
【００２５】
例えばカメラ１を机上に設置したとき、支持体３０を図３，４に示すように引き出すことによって撮像方向、液晶パネル２３ａの向きを自由に調整することができる。また、表示部２０を反転させ、支持体３０を引き出せば、表示部２０の液晶パネル２３ａに写った撮影者自身（被写体）の画像を見ながら撮影者自身を撮影すること等もできる。
【００２６】
次にカメラ１の使用態様の一例について説明する。
【００２７】
まず図１に示した状態から表示部２０を上方へスライドさせる。この状態は図２に示されている。
【００２８】
次に、パネルケース２３ｂ（表示部２０）を回転ヒンジの回転軸を中心として１８０°回転させる。
【００２９】
その後、支持体３０を凹部１５から引き出して机の上等に載置する。このとき、液晶パネル２３ａの向きは引き出された支持体３０と水平面との角度で決まる。図３、４に示すように、液晶パネル２３ａが斜め上方を向いたとき、液晶パネル２３ａを斜め上方から見ることができる。
【００３０】
なお、撮影者に対して撮像装置本体１０が俯角をもつとき、被写体像は俯角を有しない画像に補正される。例えば、撮影した画像の構図を被写体と撮像装置とがあたかも正対している画像に補正できる。この補正は、カメラ１を足元において撮影者自身を撮影する等のいわゆるローアングル撮影に有効である。
【００３１】
この実施形態によれば、三脚を用いないので、カメラ１の構造が簡単で軽量であるとともに、三脚を用いたときと同様に撮影者自身も容易に撮影することができる。また、表示部２０を反転させたとき、撮影者自身の撮影がより容易になる。例えば、液晶パネル２３ａを見ながら撮影者自身を撮影する、いわゆる「自分撮り」をしたり、撮影者自身も加わった集合写真を撮影したりできる。なお、表示部２０を反転させない状態で背面側から撮影することもできる。更に、表示部２０を反転できるので、構図合わせが容易となる。また、支持体３０が撮像装置本体１０に転動可能に支持されているので、机上に設置したとき、カメラ１の向きを容易に調整することができる。更に、撮像素子が１つでよいので、撮像素子を複数有する公知の構造の撮像装置より構造を簡単にできる。
【００３２】
図５はこの発明の第２実施形態に係るカメラ１０１の背面図、図６は表示部を跳ね上げた状態を示すカメラ１０１の背面図、図７は図６の状態から支持体３０を引き出す方法を説明するための背面図、図８は図６の状態から表示部を１８０°回転させるとともに、支持体３０を引き出したときの側面図であり、第１実施形態と共通する部分には同一符号を付してその説明を省略する。
【００３３】
この実施形態は表示部２０を跳ね上げ式とした点で第１実施形態と相違する。
【００３４】
この実施形態では撮像装置本体１０と表示部２０とは携帯電話等に使用されている既知の回転二軸ヒンジ（図示せず）を介して回転可能に連結されている。
【００３５】
表示部２０は撮像装置本体１０に対して二軸ヒンジによって仮想軸ＹＢを中心にして回転可能であるとともに、仮想軸ＸＢを中心にして回転可能に取り付けられている。撮像装置本体１０に対する表示部２０の開閉（跳ね上げ）は、仮想軸ＸＢを中心に表示部２０を回転させて行われ、表示部２０の反転は仮想軸ＹＢを中心に表示部２０を１８０°回転させて行なわれる。
【００３６】
次にカメラ１０１の使用態様の一例について説明する。
【００３７】
まず図５に示した状態から表示部２０を撮像装置本体１０に対して仮想軸ＸＢを中心として跳ね上げる。この状態は図６に示されている。
【００３８】
次に、表示部２０を回転ヒンジの仮想軸ＹＢを中心として回転１８０°回転させる。
【００３９】
その後、支持体３０を凹部１５から引き出して机の上に載置する。この状態は図７に示されている。このとき、液晶パネル２３ａの向き跳ね上げられた支持体３０と水平面との角度で決まる。そのため、平面パネル２３ａを見ながら撮影者自身を撮影する、いわゆる「自分撮り」をしたり、撮影者自身も加わった集合写真を撮影したりできる。なお、表示部２０を反転させずに背面側から撮影することもできる。
【００４０】
この実施形態によれば、第１実施形態と同様の効果を奏する。
【００４１】
図９はこの発明の第３実施形態に係るカメラ２０１の背面図、図１０は表示部２０を跳ね上げた状態を示すカメラ２０１の背面図、図１１は図１０の状態から支持体２３０を引き出す方法を説明する背面図、図１２は図１０の状態から表示部２０を１８０°回転させるとともに、支持体２３０を引き出したときの側面図であり、第１、２実施形態と共通する部分には同一符号を付してその説明を省略する。
【００４２】
この実施形態は支持体２３０をＵ字状とした点で第２実施形態と相違する。
【００４３】
使用方法は第２実施形態と同様であるので、その説明を省略する。
【００４４】
この実施形態によれば、第１、２実施形態と同様の効果を奏するとともに、支持体をＵ字状としたので、第１、２実施形態よりカメラ１の設置状態が安定する。
【００４５】
図１５（ａ）、（ｂ）は支持体の変形例を示す図である。
【００４６】
図１５（ａ）は第２の支持部１３２を折り畳んだ状態を示し。図１５（ｂ）は第２の支持部１３２を引き出した状態を示す。
【００４７】
支持体１３０は、撮像装置本体１０に対して回転可能に取り付けられた第１の支持部１３１と、この第１の軸部１３１の中間部に、回転軸１３３を介して回転可能に取り付けられた第２の支持部１３２とで構成されている。
【００４８】
支持体１３０を例えば第１実施形態に採用し、支持部１３０を撮像装置本体１０から引き出した後、更に支持部１３２を引き出した場合（図１５（ｂ）参照）、第１実施形態よりカメラ１の設置状態が安定する。
【００４９】
図１６（ａ）、（ｂ）は支持体の他の変形例を示す図である。
【００５０】
図１６（ａ）は軸部２３１が筒部２３２にねじ込まれた状態を示し。図１６（ｂ）は軸部２３１が筒部２３２から引き出された状態を示す。
【００５１】
支持体２３０は、おねじ２３１ａが形成された軸部２３１と、おねじ２３１ａに螺合するめねじ２３２ａが形成され、軸部２３１に対して相対移動可能な筒部２３２とからなる。
【００５２】
支持体２３０を例えば第１実施形態に採用し、軸部２３１を引き出した場合、支持体２３０を支持体３０より長くできるので、第１実施形態よりカメラ１の設置状態が安定する。
【００５３】
なお、撮像装置本体１０に取り付けられるのは軸部２３１であっても筒部２３２であってもよい。
【図面の簡単な説明】
【００５４】
【図１】図１はこの発明の第１実施形態に係るカメラの背面図である。
【図２】図２は液晶表示部を引き出すとともに、表示部を１８０°回転させた状態を示すカメラの背面図である。
【図３】図３は図２の状態から支持体を引き出したときの側面図である。
【図４】図４は図３のカメラをＡ方向から見た平面図である。
【図５】図５はこの発明の第２実施形態に係るカメラの背面図である。
【図６】図６は表示部を跳ね上げた状態を示すカメラの背面図である。
【図７】図７は図６の状態から支持体を引き出す方法を説明するための背面図である。
【図８】図８は図６の状態から表示部を１８０°回転させるとともに、支持体を引き出したときの側面図である。
【図９】図９はこの発明の第３実施形態に係るカメラの背面図である。
【図１０】図１０は表示部を跳ね上げた状態を示すカメラの背面図である。
【図１１】図１１は図１０の状態から支持体を引き出す方法を説明する背面図である。
【図１２】図１２は図１０の状態から表示部を１８０°回転させるとともに、支持体を引き出したときの側面図である。
【図１３】図１３は支持体と撮像装置本体（筐体）との接続部分を説明する図である。
【図１４】図１４は支持体３０と撮像装置本体（筐体）との接続部分を説明する図である。
【図１５】図１５（ａ）、（ｂ）は支持体の変形例を示す図である。
【図１６】図１６（ａ）、（ｂ）は支持体の他の変形例を示す図である。
【符号の説明】
【００５５】
１，１０１，２０１：カメラ（撮像装置）、１０：撮像装置本体（筐体）、１６：撮像素子（撮像手段）、１７：画像処理部（画像処理手段）、２０：表示部、３０，１３０，２３０：支持体（第２調整手段）。
【図１】
2010141485.tif 000003
【図２】
2010141485.tif 000004
【図３】
2010141485.tif 000005
【図４】
2010141485.tif 000006
【図５】
2010141485.tif 000007
【図６】
2010141485.tif 000008
【図７】
2010141485.tif 000009
【図８】
2010141485.tif 000010
【図９】
2010141485.tif 000011
【図１０】
2010141485.tif 000012
【図１１】
2010141485.tif 000013
【図１２】
2010141485.tif 000014
【図１３】
2010141485.tif 000015
【図１４】
2010141485.tif 000016
【図１５】
2010141485.tif 000017
【図１６】
2010141485.tif 000018